(57)【特許請求の範囲】
【請求項１】
周壁(3)の前部内側に係止手段及び後方への押圧手段を、後部内側に係止手段をそれぞれ設けた有底短筒状の本体(1)と、該本体(1)の後端に開閉回動自在に蝶番結合した蓋体(13)と、前面及び後面に、前記各係止手段に係止する係止手段を有し、前記本体(1)の周壁(3)内部に着脱自在に組付けられる化粧料収納用のドラム枠(20)と、から構成されるコンパクト容器であって、前記本体(1)前部の係止手段を、前記周壁(3)の内方へ突設された蓋体係止用凹部壁(3b)に設けると共に、前記本体(1)前部の押圧手段を、前記蓋体係止用凹部壁(3b)の両側方に設け、前記ドラム枠(20)の前面に、前記押圧手段に当接して押圧可能な突片手段を設けて成るコンパクト容器。
【請求項２】
本体(1) 前部の係止手段を、蓋体係止用凹部壁(3b)に貫設した係止孔(7) とし、ドラム枠(20)前面の係止手段を、前記係止孔(7) に係止可能な係止突片(27)とした請求項１に記載のコンパクト容器。
【請求項３】
本体(1) 前部の押圧手段を、蓋体係止用凹部壁(3b)の両側端に一体に形成した弾性板(10)とした請求項１又は２に記載のコンパクト容器。
【請求項４】
本体(1) 前部の押圧手段を、蓋体係止用凹部壁(3b)の両側方の底壁(2) 上に立設した弾性板(10a) とした請求項１又は２に記載のコンパクト容器。
【発明の詳細な説明】
【０００１】
【産業上の利用分野】
本発明は、本体に対して、化粧料収納用のドラム枠を着脱自在に組付けることを可能としたコンパクト容器に関するものである。
【０００２】
【従来の技術】
本体に対して、化粧料収納用のドラムを着脱自在に組付ける構成とし、もって携帯する化粧料を詰め替えできるようにしたコンパクト容器の代表例として、実公昭６２−８８０１号公報に開示された技術がある。
【０００３】
この従来技術は、本体に形成されたドラム収納部に、ドラムを、バネ板により前方に弾力を付勢された状態で、ドラムの前面下端を係止すると共に、ドラムの後端縁上面を、本体に取り付けた中枠の上端折曲部に下方から係止させて嵌装組付けし、ドラム交換時には、弾力に逆らってドラムをわずかに後退させて前端部の係止を解除して、ドラムのドラム収納部からの離脱を達成するものとなっており、このドラムの交換が容易であるという利点があった。
【０００４】
【発明が解決しようとする課題】
しかしながら、上記従来技術は、本体の周壁内側に前記中枠を取り付け、さらにその内側に、前記バネ板の弾性変位ストローク分の間隙を設けて該バネ板を立設した構成であるので、本体の周壁内側に、収納空間として機能することのできないスペースを設けなければならず、コンパクト容器の小型化を充分に達成することができないという問題があった。
【０００５】
そこで、本発明は、上記した従来技術における問題点を解消すべく創案されたもので、本体の蓋付係止用凹部壁とその側方の空間を有効利用することにより、本体内のスペースを節約し、もってコンパクト容器の小型化を図ることを目的とする。
【０００６】
【課題を解決するための手段】
上記目的を達成するための本発明の手段は、
周壁の前部内側に係止手段及び後方への押圧手段を、後部内側に係止手段をそれぞれ設けた有底短筒状の本体と、この本体の後端に開閉回動自在に蝶番結合した蓋体と、前面及び後面に、本体の各係止手段に係止する係止手段を有し、本体の周壁内部に着脱自在に組付けられる化粧料収納用のドラム枠と、から構成されるコンパクト容器であること
本体前部の係止手段を、周壁の内方へ突設された蓋体係止用凹部壁に設けると共に、本体前部の押圧手段を、同じ蓋体係止用凹部壁の両側方に設けること、
ドラム枠の前面に、本体の押圧手段に当接して押圧可能な突片手段を設けること、
にある。
【０００７】
本体前部の係止手段を、蓋体係止用凹部壁に貫設した係止孔とし、ドラム枠前面の係止手段を、本体の係止孔に係止可能な係止突片とするのが良い。
【０００８】
本体前部の押圧手段を、蓋体係止用凹部壁の両側端に一体に形成した弾性板とするのが良い。
【０００９】
また、本体前部の押圧手段を、蓋体係止用凹部壁の両側方の底壁上に立設した弾性板としても良い。
【００１０】
【作用】
本体に対するドラム枠の組付けは、ドラム枠を本体のドラム枠収納部に対して斜め後上方から挿入して、ドラム枠前面の係止手段と本体前部の係止手段とを係止させると共に、突片手段が当接している本体前部の押圧手段の弾力に抗してドラム枠を前進させ、次いで、ドラム枠の後部を本体内に下降させ、かつ前方への押圧力を解除すると、本体の押圧手段の弾力によりドラム枠は後退し、その後面の係止手段と本体後部の係止手段とが係止し、本体に対するドラム枠の離脱不能な組付きが達成される。
【００１１】
また、本体からドラム枠を取外す場合は、ドラム枠を本体の押圧手段の弾力に抗して前方へ押してわずかに前進させると、ドラム枠後面の係止手段と本体後部の係止手段との係止が解除されるので、ドラム枠を後部から引き上げれば、ドラム枠の本体からの離脱が達成される。
【００１２】
本体前部の係止手段及び押圧手段を、元々、周壁の内方へ突設されている蓋体係止用凹部壁とその側方部分に設けるので、これらの手段のためのスペースを節約することができ、本体の周壁内を収納空間として無駄なく有効に利用することができる。
【００１３】
特に、蓋体係止用凹部壁の側方部分に設けた押圧手段の前方への変位ストロークは、該側方部分の空間を利用できるので、該変位ストロークのためのスペースを特別に設ける必要が無くなる。
【００１４】
【実施例】
以下、本発明の実施例を、図面を参照しながら説明する。
図１〜図４に図示した第１実施例にあって、本体１は、略長方形状の底壁２の周縁に周壁３を設けてドラム枠収納部１５を形成し、また、周壁３の後面に蓋体蝶番用凹部４を、前面中央部に蓋体係止用凹部５をそれぞれ形成している。
【００１５】
周壁３のうち、蝶番用凹部壁３ａの内面には左右一対の係止突条６を設け、また、蓋体係止用凹部壁３ｂには、下端に横長の係止孔７を設けると共に、内面の上下には係止突条８と支持突条９とをそれぞれ形成（図３参照）し、さらに、この蓋体係止用凹部壁３ｂの両側端に、それぞれ弾性板１０を、前方への弾性変位のストローク分の間隙１６を設けて一体に形成している。
【００１６】
蓋体係止用凹部５内には、内部に水平状の弾性片１１を設けた側面形状が略Ｅ形の駒部材１２が、前後方向にスライド可能に収納されている。
【００１７】
蓋体１３は、その基端に設けた一対の蝶番片１４により、本体１の蝶番用凹部４において本体１に蝶番結合されており、また、先端の下面には、本体１の係止突条８に係止可能な係止片１７を設けている。
【００１８】
この蓋体１３を閉じる場合は、蓋体１３を上から押圧して係止片１７と係止突条８とを乗り越えにより係止させれば良く、また、蓋体１３を開ける場合は、駒部材１２を内方へ押し込むと、弾性片１１の先端が支持突条９の傾斜面をスライドしながら上方へ変位して係止片１７の下面を押し上げるため、この係止片１７と係止突条８との係止が解除され、開蓋可能となる。
【００１９】
ドラム枠２０は、本体１のドラム枠収納部１５に挿入収納される有底筒状の底部２１と、本体１の周壁３上に載置される鍔部２２とから成り、上面には三つの化粧料収納部２３、２４、２５と、筆等を収納する用具収納部２６とを凹設している。
【００２０】
ドラム枠２０の底部２１の前面には、本体１の係止孔７に係止可能な係止突片２７が設けてあり、また底部２１の後面下端には、本体１の一対の係止突条６に係止可能な一対の係止突条２８が設け（図３参照）てあり、さらに、底部２１の前面であって、係止突片２７の両側方には、図２、図４に示すように本体１の各弾性板１０の先端部分に当接して押圧可能な突片２９が形成されている。
【００２１】
次に、本体１に対するドラム枠２０の着脱状態を説明する。
本体１にドラム枠２０を組付ける場合は、ドラム枠２０の前部を本体１のドラム枠収納部１５に対して斜め後上方から挿入し、本体１の係止孔７にドラム枠２０の係止突片２７を係止させると共に、突片２９を介して、本体１の一対の弾性板１０の弾力に抗してドラム枠２０を前進させ、次いで、ドラム枠２０の後部を本体１内に下降させ、かつ前方への押圧力を解除すると、本体１の弾性板１０の弾力によりドラム枠２０は後退し、その後面の係止突条２８が本体１の係止突条６に係止し、ドラム枠２０の組付きが達成（図３参照）される。
【００２２】
また、本体１からドラム枠２０を取外す場合は、図３、図４の矢印のようにドラム枠２０を弾性板１０の弾力に抗して前方へ押してわずかに前進させると、ドラム枠２０の係止突条２８と本体１の係止突条６との係止が解除されるので、ドラム枠２０を後部から引き上げれば、ドラム枠２０の本体１からの離脱が達成される。
【００２３】
図５、図６に示した本発明の第２実施例においては、本体１前部の押圧手段である一対の弾性板１０ａを、蓋体係止用凹部壁３ｂの両側方の底壁２箇所に立設すると共に、この弾性板１０ａの上端部に当接して押圧可能な一対の突片２９ａを、ドラム枠底部２１の前面上端に設けてある。
【００２４】
【発明の効果】
本発明は、上記した構成となっているので、以下に示す効果を奏する。
本体前部の係止手段及び押圧手段を、元々、周壁の内方へ突設されている蓋体係止用凹部壁とその側方部分に設けるので、これらの手段の設置スペースとその弾性変位ストロークのためのスペースを節約することができ、もって本体の周壁内を収納空間として無駄なく有効に利用することができるため、コンパクト容器の小型化を達成することができる。
【００２５】
本体の蓋体係止用凹部壁は、元々、本体内に突出した構成であるので、この突出した構造を利用しての係止手段及び押圧手段の形成が容易であると共に、種々の構成の係止手段及び押圧手段の利用が可能であり、もって好適に実施することができる。
【図面の簡単な説明】
【図１】本発明の第１実施例を示す、全体分解斜視図。
【図２】図１に示した実施例における、ドラム枠の要部平面図。
【図３】図１及び図５に示した実施例における、組付状態でのＡ−Ａ線断面図。
【図４】図１に示した実施例における、組付状態でのＢ−Ｂ線断面図。
【図５】本発明の第２実施例を示す全体分解斜視図。
【図６】図５に示した実施例における、組付状態でのＣ−Ｃ線断面図。
【符号の説明】
１  ；  本体
２  ；  底壁
３  ；  周壁
３ａ；  蝶番用凹部壁
３ｂ；  蓋体係止用凹部壁
４  ；  蝶番用凹部
５  ；  蓋体係止用凹部
６  ；  係止突条
７  ；  係止孔
８  ；  係止突条
９  ；  支持突条
１０、１０ａ；  弾性板
１１；  弾性片
１２；  駒部材
１３；  蓋体
１４；  蝶番片
１５；  ドラム枠収納部
１６；  間隙
１７；  係止片
２０；  ドラム枠
２１；  底部
２２；  鍔部
２３、２４、２５；  化粧料収納部
２６；  用具収納部
２７；  係止突片
２８；  係止突条
２９、２９ａ；  突片
【図１】
0003637374.tif 000002
【図２】
0003637374.tif 000003
【図３】
0003637374.tif 000004
【図４】
0003637374.tif 000005
【図５】
0003637374.tif 000006
【図６】
0003637374.tif 000007